(57)【要約】  本発明の身体冷却用の循環液体路部材（１）は、少なくとも複数の接合シート（２）を接合することによって形成された液体が循環する液体路（３）と、前記液体路の入口側と出口側に前記接合シートと接合された接続口具（６）とを有し、前記複数の接合シートの接合パターンによって前記液体路の形状パターンを構成してあり、前記接続口具は前記入口側と前記出口側において入口部（４）と出口部（５）を構成するように雄型又は雌型のどちらか一方の型に形成し、さらに前記液体路を身体冷却部材として使用することを特徴とする。
2017069004.tif 000002
【特許請求の範囲】
【請求項１】
少なくとも複数の接合シート(２)を接合することによって形成された液体が循環する液体路(３)と、前記液体路(３)の入口側と出口側に前記接合シート(２)と接合された接続口具(６)とを有しており、前記複数の接合シート(２)の接合パターンによって前記液体路(３)の形状パターンを構成してあり、前記接続口具(６)は前記入口側と前記出口側において入口部(４)と出口部(５)を構成するように雄型又は雌型のどちらか一方の型に形成し、さらに前記液体路(３)を身体冷却部材として使用することを特徴とする身体冷却用の循環液体路部材。
【請求項２】
請求項１に記載の身体冷却用の循環液体路部材において、前記接続口具(６)を、前記接合シート(２)が接合するための接合面部(８)と、前記液体路(３)に連通する管部(１１)を備えた管取付部(９)とを有するスパウト(６)で構成した身体冷却用の循環液体路部材。
【請求項３】
請求項１に記載の身体冷却用の循環液体路部材において、前記接続口具(６)を前記液体路(３)に設けられた雌型管(４８)で構成し、前記雌型管(４８)と各種の接続管(４５)を連結する両側雄型管接続具(４４)を設けた身体冷却用の循環液体路部材。
【請求項４】
請求項１〜請求項３のいずれか一つに記載の身体冷却用の循環液体路部材において、前記接合シート(２)を熱融着シート(２)で構成した体冷却用の循環液体路部材。
【請求項５】
請求項１〜請求項３のいずれか一つに記載の身体冷却用の循環液体路部材において、前記接合シート(２)を高周波圧着によって接合する接合シート(２)で構成した身体冷却用の循環液体路部材。
【請求項６】
請求項１〜請求項５のいずれか一つに記載の身体冷却用の循環液体路部材において、前記複数の前記接合シート(２)の外縁部及び内縁部を接合し、前記液体路(３)を構成する領域を接合せずに残すことによって所定パターンの前記液体路(３)を形成した身体冷却用の循環液体路部材。
【請求項７】
請求項６に記載の身体冷却用の循環液体路部材において、接合されない前記液体路(３)の横幅を２ｍｍ〜１５ｍｍに設定した身体冷却用の循環液体路部材。
【請求項８】
請求項１〜請求項７のいずれか一つに記載の身体冷却用の循環液体路部材において、前記接続口具(６)の表面の合成樹脂材と、前記接合シート(２)の接合面を構成する合成樹脂材との接合の方法において、それぞれ接合の相性の点において接合しやすい合成樹脂材で構成した身体冷却用の循環液体路部材。
【請求項９】
請求項１〜請求項８のいずれか一つに記載の身体冷却用の循環液体路部材において、前記接合シート(２)を想定する身体の設置箇所に対応して前記液体路３の長さが大きくなるように蛇行させた蛇行部(２４)と、前記液体路(３)を環形に形成した前記環形液体路(２０)と、前記環形液体路(２０)に設けられた開口部(２１)とを有する身体冷却用の循環液体路部材。
【請求項１０】
請求項９に記載の身体冷却用の循環液体路部材において、前記環形液体路(２０)の外縁側から各蛇行部(２４)を区画する切込部(２３)が形成されている身体冷却用の循環液体路部材。
【請求項１１】
請求項９〜請求項１０のいずれか一つに記載の身体冷却用の循環液体路部材において、前記開口部(２１)は、前記蛇行部(２４)の間に延びる枝部(２２)を有している身体冷却用の循環液体路部材。
【請求項１２】
請求項１〜請求項１１のいずれか一つに記載の身体冷却用の循環液体路部材において、前記複数の接合シート(２)を透明な素材で形成した身体冷却用の循環液体路部材。
【請求項１３】
請求項１〜請求項１２のいずれか一つに記載の身体冷却用の循環液体路部材において、前記液体路(３)内に固定して設けられた柔軟性を有する立体構造物(１６)を有し、前記立体構造物(１６)は液体の流れる隙間(１７)を備えており、かつ前記立体構造物(１６)は前記液体路(３)を構成する少なくとも片方側のシート面に固定されている身体冷却用の循環液体路部材。
【請求項１４】
請求項２に記載の身体冷却用の循環液体路部材において、前記スパウト６の前記管取付部(９)の前記管部(１１)周囲に外周側に突出する先細形状部(１２)が形成されている身体冷却用の循環液体路部材。
【請求項１５】
請求項１〜請求項１４のいずれか一つに記載の身体冷却用の循環液体路部材において、身体の複数部分毎に前記環形液体路(２０)に区分けし、区分けした複数の前記環形液体路(２０)の間を柔軟性のある連結管(１５)で接続した身体冷却用の循環液体路部材。
【請求項１６】
請求項１５に記載の身体冷却用の循環液体路部材において、前記複数に区分けされた前記環形液体路(２０)が、頭部を冷却する前記環形液体路(２０)と、頭部を除く身体部分を冷却する前記環形液体路(２０)とを有する身体冷却用の循環液体路部材。
【請求項１７】
請求項１〜請求項１６のいずれか一つに記載の身体冷却用の循環液体路部材において、身体覆い素材(２８)に取り付けられた第１面ファスナー(２９)と、前記接合シート(２)によって構成された前記液体路(３)に取り付けられた第２面ファスナー(３０)とを有し、前記第１面ファスナー(２９)と前記第２面ファスナー(３０)によって、前記液体路(３)を前記身体覆い素材(２８)から着脱自在に構成した身体冷却用の循環液体路部材。
【請求項１８】
請求項１７に記載の身体冷却用の循環液体路部材において、前記身体覆い素材(２８)に前記液体路(３)と身体とが直接接触することを防止する内側布材(３２)を設けた身体冷却用の循環液体路部材。
【請求項１９】
請求項１３に記載の身体冷却用の循環液体路部材において、前記立体構造物(１６)の少なくとも片方側のシート面への前記固定を、前記液体路(３)の形状パターンを形成するための前記複数の接合シート(２)に係る接合方法と同一の方法によって行う身体冷却用の循環液体路部材。 
【発明の詳細な説明】
【技術分野】
【０００１】  本発明は、帽子や服などに水などの液体が流れる液体路を設けた実用的な冷却技術に関する。
【背景技術】
【０００２】  従来から、身体を冷却する冷却服が各種提案されている。  例えば、特許文献１の防熱用作業着は、４０℃程度の高温雰囲気下でも冷却性能を発揮するドライアイスを用い、このドライアイスの冷気を供給する方式である。この防熱用作業着は、パイプの内側から外側に向って冷風の噴出が可能な冷気パイプと、冷気パイプに接続されたドライアイスを収納するためのドライアイス収納容器と、ドライアイスの冷気を冷気パイプに供給するためのファンを備えたことを特徴としている。【０００３】  上記従来技術であれば、送風ファンを服などに取り付け、冷却風を服内部に送風して体温を冷す構成の冷却服に比べて外部温度等の条件に左右されず、確実に冷却できることが予想される。
【先行技術文献】
【特許文献】
【０００４】
【特許文献１】実開平６−５９４１２
【発明の開示】
【発明が解決しようとする課題】
【０００５】  しかしながら、上記特許文献１に開示された冷却服は、ドライアイス収納容器を必須とするものであり、作業毎に新しいドライアイスを必要とすることから運用コストが高くなる課題があった。  さらに、同公報の図２を参照すると作業者の肩の一部に掛けるように冷気パイプが設けられているだけであり、作業者の身体の大部分において冷却性能を有する冷却服を提供するという観点からは十分なものではなかった。  本発明の目的は、上記従来技術の課題を解決することができる身体冷却用の循環液体路部材を提供することにある。  具体的な目的の一例を示すと、以下の通りである。（Ａ）安価で実用的な身体冷却用の循環液体路部材を提供する。（Ｂ）循環液体路部材を採用した帽子、ヘルメットや水冷服などの実用的な冷却技術を提供する。  なお、上記に記載した以外の発明の課題、その解決手段及びその効果は、後述する明細書内の記載において詳しく説明する。
【課題を解決するための手段】
【０００６】  本発明は多面的に表現できるが、例えば、代表的なものを挙げると、次のように構成したものである。なお、下記各発明において、各符号は後述する実施形態との対応関係を分かりやすくするために一例として示したものであり、本発明の各構成要素は、実施形態に記載した符号に係る構成に限定されないことは言うまでもない。【０００７】  上記課題を解決するための本発明が有する特徴構成について説明する。  本発明の身体冷却用の循環液体路部材１は、少なくとも複数の接合シート２を接合することによって形成された液体が循環する液体路３と、前記液体路３の入口側と出口側に前記接合シート２と接合された接続口具６とを有しており、前記複数の接合シート２の接合パターンによって前記液体路３の形状パターンを構成してあり、前記接続口具６は前記入口側と前記出口側において入口部４と出口部５を構成するように雄型又は雌型のどちらか一方の型に形成し、さらに前記液体路３を身体冷却部材として使用することを特徴とする（請求項１）。  前記液体路の形状パターンとしては、直線形、Ｕ字形に蛇行したもの、液体路を環形に構成したものなど、各種の形状が採用できる。  この構成であれば、複数の接合シートの接合パターンによって液体路の形状パターンを構成してあるので、身体の冷却に最適な液体路のパターンを複数の接合シートの接合によって安価に構成することができる。また、接続口具は入口側と出口側において入口部と出口部を構成するように雄型又は雌型のどちらか一方の型に形成することで、循環液体の入口側と出口側における液体送出路、液体回収路の接続を簡単に行うことができる。【０００８】  本発明は、前記接続口具６を、前記接合シート２が接合するための接合面部８と、前記液体路３に連通する管部１１を備えた管取付部９とを有するスパウト６で構成したことを特徴とする（請求項２）。  この構成であれば、液体路の入口部と出口部のそれぞれに接合シートと接合されたスパウトとを設けることで、液体路から液体が漏れる恐れを低減することができる。  本発明は、前記接続口具６を前記液体路３に設けられた雌型管４８で構成し、前記雌型管４８と各種の接続管４５を連結する両側雄型管接続具４４を設けたことを特徴とする（請求項３）。  この構成であれば、液体路の入口側及び出口側に雌型管を設ける構成だけで、液体路に対する各種の接続管を連結することができるので、液体路側の構成が簡単になり、製造コストを低減できる。【０００９】  本発明は、前記接合シート２を熱融着シート２で構成したことを特徴とする（請求項４）。  この構成であれば、液体路を複数の熱融着シートを融着することによって形成してあるので、簡単かつ安価にその用途に応じた液体路を構成することができる。  本発明は、前記接合シート２を高周波圧着によって接合する接合シート２で構成したことを特徴とする（請求項５）。  本発明は、前記複数の前記接合シート２の外縁部及び内縁部を接合し、前記液体路３を構成する領域を接合せずに残すことによって所定パターンの前記液体路３を形成したことを特徴とする（請求項６）。  この構成であれば、身体の冷却に好ましいパターンを備えた液体路を複数の接合シートの外縁部及び内縁部を接合す��という簡単な処理によって簡単かつ安価に形成することができる。  本発明は、接合されない前記液体路３の横幅を２ｍｍ〜１５ｍｍに設定したことを特徴とする（請求項７）。  この構成であれば、液体を液体路に流した場合に、圧力によって膨らむ高さを良好な範囲に設定でき、液体路と身体の密着程度を良好な範囲に設定できる。【００１０】  本発明は、前記接続口具６の表面の合成樹脂材と、前記接合シート２の接合面を構成する合成樹脂材との接合の方法において、それぞれ接合の相性の点において接合しやすい合成樹脂材で構成したことを特徴とする（請求項８）。  「接合の方法」としては熱融着や高周波圧着が例示できる。  本発明は、前記接合シート２を想定する身体の設置箇所に対応して前記液体路３の長さが大きくなるように蛇行させた蛇行部２４と、前記液体路３を環形に形成した前記環形液体路２０と、前記環形液体路２０に設けられた開口部２１とを有することを特徴とする（請求項９）。  この構成であれば、蛇行部を有することで身体に接する液体路の長さが大きくなり、熱交換面積を増やすことができる。また、開口部を設けることで、身体の動きに伴って生じる環形の液体路の捻れや広がりに対して、広い平板形に構成した場合に比べて、動きにくい、装着感が悪い等の不都合を抑制することができる。開口部のない長方形シート部材を設けた場合に比べて開口部がある方が、汗の蒸発が可能になり、快適になる。また、冷却服等の製造時においても環形液体路は開口部があることで、水平方向（服であれば上下左右方向）及び垂直方向（身体面に直交する方向）に微妙に変形できるので、柔軟に対応でき製造性も優れる。【００１１】  本発明は、前記環形液体路２０の外縁側から各蛇行部２４を区画する切込部２３が形成されていることを特徴とする（請求項１０）。  この構成であれば、切込部が形成された蛇行部は隣り合う蛇行部とは動きにおいて独立性を増すことができるので、身体に装着された場合に変形の自由度を向上させることができる。  本発明は、前記開口部２１は、前記蛇行部２４の間に延びる枝部２２を有していることを特徴とする（請求項１１）。  この構成であれば、蛇行部の部分の水平方向、垂直方向の変形における自由度が高くなり、液体部を身体に沿わせる場合に、製造しやすくなり、また、装着性を高めることができる。  本発明は、前記複数の接合シート２を透明な素材で形成したことを特徴とする（請求項１２）。  この構成であれば、液体路内の液体の流れを外側から一見して、把握できるとともに、水漏れ箇所等の不都合点を見つけやすくなる。【００１２】  本発明は、前記液体路３内に固定して設けられた柔軟性を有する立体構造物１６を有し、前記立体構造物１６は液体の流れる隙間１７を備えており、かつ前記立体構造物１６は前記液体路３を構成する少なくとも片方側のシート面に固定されていることを特徴とする（請求項１３）。  この構成であれば、立体構造物を液体路内に固定することでシート形部材が曲がるように変形した場合でも、液体の流れる隙間を介して良好な液体の流れを確保できる。また、立体構造物を少なくとも片方側のシート面に固定することで、液体の流れによって立体構造物の位置が変化して液体の流れを阻害す���危険性を低減できる。  本発明は、前記スパウト６の前記管取付部９の前記管部１１周囲に外周側に突出する先細形状部１２が形成されていることを特徴とする（請求項１４）。【００１３】  本発明は、身体の複数部分毎に前記環形液体路２０に区分けし、区分けした複数の前記環形液体路２０の間を柔軟性のある連結管１５で接続したことを特徴とする（請求項１５）。  この構成であれば、区分けされた複数の環形液体路において、連結管の存在によって環形液体路間の身体の動きが行ないやすくなる。例えば、シート形の液体路を備えた構成であっても、服などを着た時の動きやすさ、着心地を良くすることができる。  本発明は、前記複数に区分けされた前記環形液体路２０が、頭部を冷却する前記環形液体路２０と、頭部を除く身体部分を冷却する前記環形液体路２０とを有することを特徴とする（請求項１６）。【００１４】  本発明は、身体覆い素材２８に取り付けられた第１面ファスナー２９と、前記接合シート２によって構成された前記液体路３に取り付けられた第２面ファスナー３０とを有し、前記第１面ファスナー２９と前記第２面ファスナー３０によって、前記液体路３を前記身体覆い素材２８から着脱自在に構成したことを特徴とする（請求項１７）。  この構成であれば、帽子、ヘルメット、水冷式冷却服などの身体覆い素材の洗濯時の取り外しや、液体路の故障などにおける取り替えが簡単に行える。また、液体路の微妙な位置調整も簡単に行える。  本発明は、前記身体覆い素材２８に前記液体路３と身体とが直接接触することを防止する内側布材３２を設けたことを特徴とする（請求項１８）。  この構成であれば、身体の接触による環形液体路の離脱、破損などの問題を低減でき、さらに作業者の身体と液体路が直接、接触することがないので、違和感を低減することができる。  本発明は、前記立体構造物１６の少なくとも片方側のシート面への前記固定を、前記液体路３の形状パターンを形成するための前記複数の接合シート２に係る接合方法と同一の方法によって行うことを特徴とする（請求項１９）。  この構成であれば、液体路の形状パターンを形成するための工程と、立体構造物を少なくとも片方側のシート面に固定するための工程とを全く異なる方法でそれぞれ行う場合に比べて、製造装置を簡単化でき、製造コストを低減できる。
【発明の効果】
【００１５】  以上説明したように、本発明であれば、安価で実用的な身体冷却用の循環液体路部材を提供できた。また、循環液体路部材を採用した帽子、ヘルメットや水冷服などの実用的な冷却技術を提供できた。
【図面の簡単な説明】
【００１６】
【図１】本実施形態において接続口具の一例を採用した循環液体路部材の斜視図である。
【図２】本実施形態において接続口具の一例としてのスパウトを採用した循環液体路部材の斜視図である。
【図３】（Ａ）は本実施形態に採用されるスパウトの一例の平面図、（Ｂ）はその側面図である。
【図４】本実施形態に係る、立体構造体を収容した循環液体路部材の斜視図である。
【図５】本実施形態に係る区分された循環液体路部材の平面図である。
【図６】（Ａ）は本実施形態に係る循環液体路部材において、頭部を覆うフード用循環液体路部材の平面図、（Ｂ）はその頭部内部の配置模式図である。
【図７】区分された循環液体路部材を、頭部用フードを備えた冷却服に適用した本実施形態の構成図である。
【図８】（Ａ）は本実施形態に係る面ファスナーを用いた着脱自在の構成を説明するための縦断面図、（Ｂ）はその平面図である。
【図９】循環液体路部材への液体を循環させるための構成の一例を示す斜視図である。
【発明を実施するための形態】
【００１７】［第１実施形態］  以下、図１に示す本発明に係る第１実施形態について、図面に基づき説明する。  本明細書において高次の概念に含まれる構成要件と低次の概念に含まれる構成要素を必要に応じて、共に同一の符号番号又は異なる符号番号を付けている。  また、本発明において、「接合の形態」としては高周波圧着による接合、熱融着による接合、接着剤による接合などの各種の方法が採用できる。  本実施形態に係る、身体冷却用の循環液体路部材１は、図１に示すように、一対の細長い高周波圧着シート２・２（高次概念では接合シート２・２）を高周波圧着することによって形成された液体路３と、その液体路３の入口側と出口側に前記接合シート２と接合された接続口具６とを有している。高周波圧着シート２としては、高周波圧着できる各種の合成樹脂シート、例えば、塩化ビニル樹脂（ＰＶＣ）等の合成樹脂シートが採用できる。  なお、入口側と出口側は便宜上の区分であり、ポンプ３７（図９参照）から圧送される液体の入口が入口側になり、身体によって暖められた液体が排出される出口が出口側になるだけである。つまり、ポンプ３７（図９参照）の液体送出路３８（図９参照）を液体路３の両端部のどちら側に接続するかという観点にすぎないことに留意されたい。
【００１８】  図１に示す構成では、接続口具６は液体路３から突出された雌型管４８が示してある。但し、接続口具６は液体路３の内側に入り込むように設けられた雌型管４８の構成も採用できる。また、循環液体の入口側と出口側における液体送出路、液体回収路などの接続管４５と雌型管４８を連結する両側雄型管接続具４４を備えている。  この両側雄型管接続具４４は、管体の周囲に雌型管４８側の先細形状部１２と、接続管４５側の先細形状部１２を管体の両端に設けた構成にしてある。  また、図１に示す構成では、接続口具６は円盤形接続面部４６を有している。円盤形接続面部４６の接続口具接合部４７に上側の接合シート２が接合されることによって接続口具６を液体路３に取り付ける構成にしてある。  また、複数の接合シート２の接合パターンによって液体路３の形状パターンが形成されることにより、安価に液体路３を形成することができる。
【００１９】［第２実施形態］  以下、図２〜図３に示す本発明に係る第１実施形態について、図面に基づき説明する。  なお、本実施形態の説明においては、安価に実施できる熱融着を例に取り、説明する。  本実施形態に係る、身体冷却用の循環液体路部材１は、図２に示すように、一対の細長い熱融着シート２・２（高次概念では接合シート２・２）を熱融着することによって形成された液体路３と、その液体路３の入口部４と出口部５のそれぞれに熱融着されたスパウト６とを有している。熱融着シート２としては、熱融着できる各種の合成樹脂シート、例えば、ポリエチレン（ＰＥ）等の合成樹脂シートが採用できる。通常、熱融着シートは複数の合成樹脂層を３層程度、積層した構成が採用されることが多い。
【００２０】  この図２の構成では、液体路３において液体が流れる中心帯域を残して細長い帯形の縁部を熱融着させた縁部接合部７・７を形成することで液体路３を形成してある。また、熱融着されない液体路３の横幅を２ｍｍ〜１５ｍｍに設定してある。この範囲に横幅を制限するのは、ポンプ３７（図９参照）によって液体を流したときに、垂直方向に過剰に膨らみ、液体の流れが悪くなると共に、装着感が低下しないようにするためである。また、上記範囲であれば、身体側に膨出する程度が好ましい密着、圧迫感を与えるようになり、身体の温度を奪う液体路３の密着性からも好ましいからである。  また、スパウト６は熱融着シート２を融着するための接合面部８と、接合面部８を貫くように管部１１が設けられた管取付部９とを有している。接合面部８の形状は四角形形、半円形状など各種の形状が採用できるが、熱融着シート２を液体が漏れないようにしっかり密閉する水平方向に広がりを持った領域面を備えている。
【００２１】  管部１１は内側の液体路３と外側の接続管（図示せず）を連通する機能を備えている。  図２に示す構成では、スパウト６は液体路３の内側に臨む位置に設けられた管口１０が設けてあり、その管口１０によって液体路３と連通されている。  接合面部８から突出した管部１１の周囲には、管部１１から外周側に拡径するように突出する先細形状部１２が形成してある。この先細形状部１２は、スパウト６に連結する接続管４５、例えば液体供給管、液体戻り管、連結管１５（図５参照）等の各種接続管をワンタッチで取付け、抜けることを抑制する構造にするための構成である。先細形状部１２としては、略円錐形（略タケノコ形状とも言える）、略球形、略楕円球形などの各種の構成が採用できる。  このような先細形状部１２を有する管取付部９を採用することで、雄ねじと雌ねじの螺合結合のように、通常の液体容器に採用されるスパウトの構成に比べて着脱の処理を簡便化することができる。この構成はポンプを連結しないで冷却服を使用する場合や、循環液体路部材を構成する一部の液体路３が破損した場合にその部分だけを交換する場合に有利となる。  但し、本発明において、各種接続管とスパウト６の取付けにおいて接着剤等で固定する形態を除外するものではない。
【００２２】  スパウト６は、接合シート２と接合しやすい同じ種類系統の合成樹脂、例えばＰＥ、ＰＶＣ等で構成してある。好ましくは同一の合成樹脂材で構成する。同一の合成樹脂材であれば、接合に必要な条件、例えば、溶ける温度等が同じであり、接合が良好になるからである。  また、熱融着しやすい合成樹脂材を熱融着シート２及びスパウト６の接合面部８に被膜する構成を採用することによっても熱融着しやすい構成とすることもできる。例えば、破れにくく、柔軟性の優れる第１合成樹脂層の少なくとも一方側の面に熱融着しやすい第２合成樹脂層を設けた熱融着シート２を構成する場合が例示できる。  通常は、複数層の熱融着シート２を有する構成が採用される。  同様に、スパウト６においても耐久性又は柔軟性のある合成樹脂基体の表面に熱融着しやすい合成樹脂層を被膜する構成を採用することも可能である。  なお、図２に記載した接合面部８に形成された凸部４２の形状と、図３に記載した接合面部８に形成された凸部４２の形状とは違う形態が示してある。凸部４２とその凸部４２から見た凹部とを、水が漏れる方向と直交する方向に交互に並べるように接合面部８に形成することで、スパウト６の接合面部８から液体から漏れる可能性を低減することができる。  但し、凸部４２を設けず、水平方向に広がる大面積の接合面部８に接合シート２を接合させる構成も実用上、十分な密閉効果を発揮でき、採用できる。
【００２３】［第３実施形態］  図４に示すように、第３実施形態の特徴は、液体路３内に柔軟性を有する立体構造物１６を固定した点にある。そして、立体構造物１６は液体の流れる隙間１７を備えている構成を有することで、良好な液体の流れを確保できるようにしてある。  立体構造体１６の一例としては、縦糸と横糸が上下に交差して、その交差によって液体の流れる隙間１７を確保するようにした繊維構造体が例示できる。そのような繊維構造体として縦糸と横糸が上下に交差するメッシュなどを挙げることができる。  また、立体構造物１６は液体路３を構成する少なくとも片方側のシート面に固定されていることが好ましい。  さらに、立体構造物１６の少なくとも片方側のシート面への固定を、液体路３の形状パターンを形成するための複数の接合シート２に係る接合方法と同一の方法によって行うことが好ましい。その場合は、立体構造物１６を構成する素材と、接合シート２を構成する合成樹脂と同じ種類又は接合しやすい合成樹脂を選ぶことになる。前記した縁部接合部７と一緒に立体構造体１６も同じ方法で接合することで、立体構造物１６を接合シート２・２の少なくとも片方に固定することができる。  また、本発明は、熱融着シート２・２の少なくとも一方側に接着剤などの固定手段を設け、その固定手段によって想定する液体路３の中心帯域に立体構造物１６を固定する方法も除外するものではない。
【００２４】［第４実施形態］  また、本実施形態では、熱融着シート２を想定する身体の設置箇所に対応して液体路３の面積が広くなるように蛇行部２４を設けた構成としてある。蛇行部２４の形態は図５に示す形態では、図面の左右横幅方向に蛇行させた形態が示してあるが、図面の上下方向に蛇行させる形態も採用することも可能である。  図５に示された各蛇行部２４は、外縁側に大きな略Ｕ字形の縁部接合部７を設けるとともに、内縁側に小さな略Ｕ字形の縁部接合部７を設けて、略大Ｕ字形毎、略小Ｕ字形毎に上下２つのシートを熱融着させることで、蛇行部２４を形成するようにしてある。  また、本実施形態は、図５に示すように、入口部４と出口部５によって形成される液体路３を環形に形成してある。接続口具６・６は水平方向Ｘにおいて、並ぶように設けられることが好ましいが、必要により、離れて設けることも可能である。
【００２５】  また、本実施形態は、環形液体路２０の略中央域に開口部２１を設けた構成にしてある。環形液体路２０の内部であれば開口部２１の形状や位置は特に限定されない。但し、開口部２１は環形液体路２０の中央域に左右対称形に形成されることが好ましい。  図５に示すように、開口部２１に各蛇行部２４を液体路３側の内側から切り離す枝部２２を設け、かつ環形液体路２０の外縁側から隣り合う蛇行部２４を切り離すような切込部２３を設けた構成にしてある。切込部２３を設けることによって、蛇行部２４を隣り合う蛇行部２４に対して、比較的、自由に変形できる。  具体的には、上下方向（縦方向）に延びる開口部２１の中央域２１ａから左右方向（幅方向）に延びるように枝部２２を左右対称形に設けている。また、枝部２２は、前記略小Ｕ字形の字線に沿って内側から延びるように形成してある。なお、各蛇行部２４の形状としては、略Ｕ字形のみならず、略Ｊ字形、略△形など適宜、液体路３の長さを大きくする構成が採用できる。  一方、切込部２３は、各蛇行部２４の大部分が水平方向、垂直方向に変形できるような切込み深さに設定してある。
【００２６】  各蛇行部２４に切込部２３を設けた構成であれば、図６（Ａ）に示すような平面パターンによって頭部を覆う循環液体路部材を構成した場合でも、蛇行部２４は隣り合う蛇行部２４・２４に対して、水平方向において狭い幅から広い幅まで自在に変形することができる。開口部２１の中央域２１ａの幅においても水平方向において狭い状態から広い状態に変形できる。  また、図６（Ｂ）に示すように、曲率が大きい、ほぼ球形の頭部であっても、切込部２３の存在によって、略垂直方向に曲がるように変形できるので、図６（Ａ）に示すような平面パターンで構成しても、頭部の形状に沿った配置を可能にできる。これにより、製造が簡単になり、また、着心地感を向上させることができる。
【００２７】［第５実施形態］  図７に示すように、本実施形態は環形液体路２０を、頭部を冷却する頭部用環形液体路２５と、頭部を除く身体部分を冷却する身体側環形液体路２６とに区分した点と、複数の環形液体路２０を柔軟性のある連結管１５で接続した点を特徴としている。  この構成では、頭部を支える首において大きく動くことを考慮し、その首部分に柔軟性のある連結管１５を設けている。柔軟性だけでなく頭部が大きく動けるように連結管１５の長さを直線よりも長く設定すること、即ち余裕のある長さとする構成も採用することができる。  また、前記したように頭部用環形液体路２５にも開口部２１が設けられている。開口部２１を設けることで、背中に比べて曲率が大きい頭部でも、頭部面に沿わすように頭部用環形液体路２５を配置することが簡単に行え、かつ良好な装着感が得られる。  なお、図７における曲線２７は、紙面裏側（顔面側）に曲がる頭部装着面の境界線を示している。
【００２８】［第６実施形態］  図６に示すように、本実施形態の特徴は、頭部を覆うフード、ヘルメットや、胴体部を冷却する冷却服などの身体覆い素材２８に取り付けられた第１面ファスナー２９と、液体路３側を構成するシートに取り付けられた第２面ファスナー３０とを有し、第１面ファスナー２９と第２面ファスナー３０によって、液体路３を身体覆い素材２８から着脱自在に構成した点にある。第１面ファスナー２９は服の縦に延びる方向や横幅方向に延びる方向に、線形又は面形に設ける構成を採用することもできる。  ファスナー２８，２９としては、マジックテープ（登録商標）などの各種の構成が採用できる。
【００２９】  また、第２面ファスナー３０は、切込部２３によって自由に動ける各蛇行部２４のそれぞれにおいて設けられているので、頭部のような曲率の大きな装着面においても、各蛇行部２４を身体覆い素材２８にしっかり固定することができる。この利点は、肩部から腕部を覆う身体覆い素材２８などのように、身体の移動範囲が大きな部分を冷却する場合にも同様に発揮できる。  さらに、身体側から見てシートの外側面に第２面ファスナー３０が固定されているので、身体側に第２面ファスナー３０がないので、液体路３と身体との密着度を高めることがき、より冷感を高めることができる。
【００３０】［第７実施形態］  図８（Ａ）（Ｂ）を参照して、身体覆い素材２８に環形液体路２０と身体とが直接接触することを防止する一般的な構成について説明する。  本実施形態は、第１・第２面ファスナー２９・３０を設けるとともに、身体覆い素材２８に環形液体路２０と身体とが直接接触することを防止する内側布材３２を設けた構成としたことを特徴とするものである。
【００３１】  この内側布材３２は、循環液体路部材１を収容する袋部３１の内側の面で構成することもできる。  袋部３１の内側布材３２は、例えば、身体覆い素材２８と同様な生地や網面で構成することができる。  なお、図７では、説明上、身体覆い素材２８と内側布材３２とは離隔して描いているが、実際の構成においては、身体覆い素材２８、循環液体路部材、及び内側布材３２は身体の垂直方向において短い幅（３ｍｍ〜１５ｍｍ程度）に設定される。  さらに、身体側から見て液体路３の外側面に第２面ファスナー３０が固定されているので、内側布材３２を設けても、身体覆い素材２８の服生地とシート材の間に第２面ファスナー３０がないので、身体との密着度を高めることができる。  また、前記した各実施形態において、図８に示すように、液体を循環させるポンプや電源などの駆動ユニット部をリュックサックのような形態で背負う構成にすることもできる。  この構成では、作業者等の背中に背負うリュックサックのような背負い部材３５と、背負い部材３５内に収容された液体容器３６及びポンプ３７とを備えている。なお、図８において、電源の図示は省略してある。また、ポンプ３７からの液体送出路３８と、液体回収路３９と、それらの接続部材４０・４０を備えている。そして、液体送出路３８、液体回収路３９は着脱自在の接続部材４０・４０を介して、それぞれ冷却服側の液体供給管、液体戻り管に接続されたスパウト６に接続される。
【００３２】  本発明は上記実施形態以外にも本発明の要旨を変更しない範囲で種々の変形を行うことが可能である。（１）前記実施形態では液体として水を例示したが、この例示は安価かつ簡単に実施できることを重視して例示したものであり、水に熱交換を促進する物質（液体）を混合した液体や、熱交換に適した水以外の液体を採用して本発明を構成することもできる。これらの構成であっても前記した熱交換を促進する液体は人体に有害でない構成を採用することが好ましい。（２）本発明において、熱交換用の液体路３に液体を循環する構成はリュックサック形状の構成に限定されず、各種の形態を採用することが可能である。  また、液体を液体路内に循環するためにポンプ３７を設けることや低い温度の液体を保持する液体容器を備えていることは公知技術であるので、本発明の目的において適宜、ポンプ３７や液体容器３６などの最適な構成を採用すればよい。
【００３３】（３）本発明は、環形液体路２０自体を服の型紙のように加工して、複数の型紙に相当する環形液体路２０自体を連結管１５によって連結して、水冷服などを構成する形態を除外するものではない。（４）本発明は、液体路３に入口側と出口側に接続口具６を設けたことを主目的とする発明であり、液体路３の具体的な構成には限定されないものである。つまり、前記した各実施形態に示された液体路３以外の各種の液体路３であっても同様に採用できるものである。（５）本発明における身体には犬、馬などの動物の身体も含んでおり、動物の身体を冷やすこともできる。
【符号の説明】
【００３４】１…循環液体路部材２…熱接合シート（一例としての熱融着シート２、高周波圧着シート２を含む）３…液体路４…入口部５…出口部６…接続口具（スパウト６を含む）７…縁部接合部（接合シート２の外縁部及び内縁部を含む）８…接合面部（融着面部を含む）９…管取付部１１…管部１２…先細形状部１５…連結管１６…立体構造物１７…隙間２０…環形液体路２１…開口部２２…枝部（開口部２０の一部）２３…切込部２４…蛇行部２８…身体覆い素材２９…第１面ファスナー３０…第２面ファスナー３２…内側布材４４…両側雄型管接続具４５…接続管４８…雌型管Ｘ…水平方向Ｙ…垂直方向（身体に直交する方向）
【図１】
2017069004.tif 000003
【図２】
2017069004.tif 000004
【図３】
2017069004.tif 000005
【図４】
2017069004.tif 000006
【図５】
2017069004.tif 000007
【図６】
2017069004.tif 000008
【図７】
2017069004.tif 000009
【図８】
2017069004.tif 000010
【図９】
2017069004.tif 000011
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
少なくとも複数の接合シート(２)を接合することによって形成された液体が循環する液体路(３)と、前記液体路(３)の入口側と出口側に前記接合シート(２)と接合された接続口具(６)とを有しており、前記複数の接合シート(２)の接合パターンによって前記液体路(３)の形状パターンを構成してあり、前記接続口具(６)は前記入口側と前記出口側において入口部(４)と出口部(５)を構成するように雄型又は雌型のどちらか一方の型に形成し、さらに前記液体路(３)を身体冷却部材として使用し、
前記複数の前記接合シート(２)の外縁部及び内縁部を接合し、前記液体路(３)を構成する領域を接合せずに残すことによって所定パターンの前記液体路(３)を形成し、
前記接続口具(６)を、前記接合シート(２)が接合するための接合面部(８)と、前記液体路(３)に連通する管部(１１)を備えた管取付部(９)とを有するスパウト(６)で構成したことを特徴とする身体冷却用の循環液体路部材。
【請求項２】
少なくとも複数の接合シート(２)を接合することによって形成された液体が循環する液体路(３)と、前記液体路(３)の入口側と出口側に前記接合シート(２)と接合された接続口具(６)とを有しており、前記複数の接合シート(２)の接合パターンによって前記液体路(３)の形状パターンを構成してあり、前記接続口具(６)は前記入口側と前記出口側において入口部(４)と出口部(５)を構成するように雄型又は雌型のどちらか一方の型に形成し、さらに前記液体路(３)を身体冷却部材として使用し、
前記複数の前記接合シート(２)の外縁部及び内縁部を接合し、前記液体路(３)を構成する領域を接合せずに残すことによって所定パターンの前記液体路(３)を形成し、
前記接続口具(６)を前記液体路(３)に設けられた雌型管(４８)で構成し、前記雌型管(４８)と各種の接続管(４５)を連結する両側雄型管接続具(４４)を設けたことを特徴とする身体冷却用の循環液体路部材。
【請求項３】
少なくとも複数の接合シート(２)を接合することによって形成された液体が循環する液体路(３)と、前記液体路(３)の入口側と出口側に前記接合シート(２)と接合された接続口具(６)とを有しており、前記複数の接合シート(２)の接合パターンによって前記液体路(３)の形状パターンを構成してあり、前記接続口具(６)は前記入口側と前記出口側において入口部(４)と出口部(５)を構成するように雄型又は雌型のどちらか一方の型に形成し、さらに前記液体路(３)を身体冷却部材として使用し、
液体が流れる中心帯域を残して細長い帯形の縁部を熱融着させた縁部接合部(７・７)を形成することで前記液体路(３)を形成し、
前記接続口具(６)を、前記接合シート(２)が接合するための接合面部(８)と、前記液体路(３)に連通する管部(１１)を備えた管取付部(９)とを有するスパウト(６)で構成したことを特徴とする身体冷却用の循環液体路部材。
【請求項４】
少なくとも複数の接合シート(２)を接合することによって形成された液体が循環する液体路(３)と、前記液体路(３)の入口側と出口側に前記接合シート(２)と接合された接続口具(６)とを有しており、前記複数の接合シート(２)の接合パターンによって前記液体路(３)の形状パターンを構成してあり、前記接続口具(６)は前記入口側と前記出口側において入口部(４)と出口部(５)を構成するように雄型又は雌型のどちらか一方の型に形成し、さらに前記液体路(３)を身体冷却部材として使用し、
液体が流れる中心帯域を残して細長い帯形の縁部を熱融着させた縁部接合部(７・７)を形成することで前記液体路(３)を形成し、
前記接続口具(６)を前記液体路(３)に設けられた雌型管(４８)で構成し、前記雌型管(４８)と各種の接続管(４５)を連結する両側雄型管接続具(４４)を設けたことを特徴とする身体冷却用の循環液体路部材。
【請求項５】
請求項１〜請求項４のいずれか一つに記載の身体冷却用の循環液体路部材において、前記接合シート(２)を熱融着シート(２)で構成した体冷却用の循環液体路部材。
【請求項６】
請求項１〜請求項５のいずれか一つに記載の身体冷却用の循環液体路部材において、前記接合シート(２)を高周波圧着によって接合する接合シート(２)で構成した身体冷却用の循環液体路部材。
【請求項７】
請求項１〜請求項４のいずれか一つに記載の身体冷却用の循環液体路部材において、接合されない前記液体路(３)の横幅を２ｍｍ〜１５ｍｍに設定した身体冷却用の循環液体路部材。
【請求項８】
請求項１〜請求項７のいずれか一つに記載の身体冷却用の循環液体路部材において、前記接続口具(６)の表面の合成樹脂材と、前記接合シート(２)の接合面を構成する合成樹脂材との接合の方法において、それぞれ接合の相性の点において接合しやすい合成樹脂材で構成した身体冷却用の循環液体路部材。
【請求項９】
請求項１〜請求項８のいずれか一つに記載の身体冷却用の循環液体路部材において、前記接合シート(２)を想定する身体の設置箇所に対応して前記液体路３の長さが大きくなるように蛇行させた蛇行部(２４)と、前記液体路(３)を環形に形成した前記環形液体路(２０)と、前記環形液体路(２０)に設けられた開口部(２１)とを有する身体冷却用の循環液体路部材。
【請求項１０】
請求項９に記載の身体冷却用の循環液体路部材において、前記環形液体路(２０)の外縁側から各蛇行部(２４)を区画する切込部(２３)が形成されている身体冷却用の循環液体路部材。
【請求項１１】
請求項９〜請求項１０のいずれか一つに記載の身体冷却用の循環液体路部材において、前記開口部(２１)は、前記蛇行部(２４)の間に延びる枝部(２２)を有している身体冷却用の循環液体路部材。
【請求項１２】
請求項１〜請求項１１のいずれか一つに記載の身体冷却用の循環液体路部材において、前記複数の接合シート(２)を透明な素材で形成した身体冷却用の循環液体路部材。
【請求項１３】
請求項１〜請求項１２のいずれか一つに記載の身体冷却用の循環液体路部材において、前記液体路(３)内に固定して設けられた柔軟性を有する立体構造物(１６)を有し、前記立体構造物(１６)は液体の流れる隙間(１７)を備えており、かつ前記立体構造物(１６)は前記液体路(３)を構成する少なくとも片方側のシート面に固定されている身体冷却用の循環液体路部材。
【請求項１４】
請求項１又は請求項３に記載の身体冷却用の循環液体路部材において、前記スパウト６の前記管取付部(９)の前記管部(１１)周囲に外周側に突出する先細形状部(１２)が形成されている身体冷却用の循環液体路部材。
【請求項１５】
請求項１〜請求項１４のいずれか一つに記載の身体冷却用の循環液体路部材において、身体の複数部分毎に前記環形液体路(２０)に区分けし、区分けした複数の前記環形液体路(２０)の間を柔軟性のある連結管(１５)で接続した身体冷却用の循環液体路部材。
【請求項１６】
請求項１５に記載の身体冷却用の循環液体路部材において、前記複数に区分けされた前記環形液体路(２０)が、頭部を冷却する前記環形液体路(２０)と、頭部を除く身体部分を冷却する前記環形液体路(２０)とを有する身体冷却用の循環液体路部材。
【請求項１７】
請求項１〜請求項１６のいずれか一つに記載の身体冷却用の循環液体路部材において、身体覆い素材(２８)に取り付けられた第１面ファスナー(２９)と、前記接合シート(２)によって構成された前記液体路(３)に取り付けられた第２面ファスナー(３０)とを有し、前記第１面ファスナー(２９)と前記第２面ファスナー(３０)によって、前記液体路(３)を前記身体覆い素材(２８)から着脱自在に構成した身体冷却用の循環液体路部材。
【請求項１８】
請求項１７に記載の身体冷却用の循環液体路部材において、前記身体覆い素材(２８)に前記液体路(３)と身体とが直接接触することを防止する内側布材(３２)を設けた身体冷却用の循環液体路部材。
【請求項１９】
請求項１３に記載の身体冷却用の循環液体路部材において、前記立体構造物(１６)の少なくとも片方側のシート面への前記固定を、前記液体路(３)の形状パターンを形成するための前記複数の接合シート(２)に係る接合方法と同一の方法によって行う身体冷却用の循環液体路部材。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
少なくとも複数の接合シート(２)を接合することによって形成された液体が循環する液体路(３)と、前記液体路(３)の入口側と出口側に前記接合シート(２)と接合された接続口具(６)とを有しており、前記複数の接合シート(２)の接合パターンによって前記液体路３の形状パターンを構成してあり、前記接続口具６は前記入口側と前記出口側において入口部(４)と出口部(５)を構成するように雄型又は雌型のどちらか一方の型に形成し、さらに前記液体路(３)を身体冷却部材として使用し、
前記複数の前記接合シート(２)の外縁部及び内縁部を接合し、前記液体路(３)を構成する領域を接合せずに残すことによって所定パターンの前記液体路(３)を形成し、
前記接続口具(６)を、前記接合シート(２)が接合するための接合面部(８)と、前記液体路(３)に連通する管部(１１)を備えた管取付部(９)とを有するスパウト(６)で構成し、
前記液体が流れる中心帯域を残して細長い帯形の縁部を接合させた縁部接合部(７・７)を形成することで扁平液体路(３)を形成し、
前記扁平液体路(３)は液体が流入する前記入口部(４)と前記出口部(５)とを備え、前記入口部(４)と前記出口部(５)に接続口具(６)を有しており、前記液体が循環する構成になっており、
前記スパウト(６)の管取付部(９)の位置において、必要に応じて各種接続管との着脱構成、又は固定する形態を採用できるようにしたことを特徴とする身体冷却用の循環液体路部材。
【請求項２】
請求項１に記載の身体冷却用の循環液体路部材において、前記扁平液体路(３)内に固定して設けられた柔軟性を有する立体構造物(１６)を有し、前記立体構造物(１６)は、繊維構造体で構成され、かつ前記扁平液体路(３)の延びる方向に沿って延びて設けられており、前記扁平液体路(３)の幅方向のほぼ中心位置に設けられた前記立体構造物(１６)は液体の流れる隙間(１７)を備えている身体冷却用の循環液体路部材。
【請求項３】
請求項２に記載の身体冷却用の循環液体路部材において、前記立体構造物(１６)は前記扁平液体路(３)を構成する少なくとも片方側のシート面に固定されている身体冷却用の循環液体路部材。
【請求項４】
請求項２〜請求項３のいずれか一つに記載の身体冷却用の循環液体路部材において、液体が流れる中心帯域を残して細長い帯形の縁部を熱融着させた縁部接合部(７・７)を形成することで前記扁平液体路(３)を形成する場合に、前記入口部(４)と前記出口部(５)に接続する前記縁部接合部(７・７)において前記接合面部(８)を熱融着できるような面積部分を有している身体冷却用の循環液体路部材。
【請求項５】
請求項１〜請求項３のいずれか一つに記載の冷却用の循環液体路部材において、前記スパウト(６)を有した前記接続口具(６)と、さらに別の前記接続口具(６)を設け、その別の前記接続口具(６)は、前記扁平液体路(３)に設けられた雌型管(４８)で構成し、前記雌型管(４８)と各種の接続管(４５)を連結する両側雄型管接続具(４４)を設けている身体冷却用の循環液体路部材。
【請求項６】
請求項１〜請求項５のいずれか一つに記載の身体冷却用の循環液体路部材において、前記スパウト６の前記管取付部(９)の前記管部(１１)周囲に外周側に突出する先細形状部(１２)が形成されている身体冷却用の循環液体路部材。
【請求項７】
請求項１〜請求項５のいずれか一つに記載の身体冷却用の循環液体路部材において、身体覆い素材(２８)に取り付けられた第１面ファスナー(２９)と、前記接合シート(２)によって構成された前記扁平液体路(３)に取り付けられた第２面ファスナー(３０)とを有し、前記第１面ファスナー(２９)と前記第２面ファスナー(３０)によって、前記扁平液体路(３)を前記身体覆い素材(２８)から着脱自在に構成した身体冷却用の循環液体路部材。
【請求項８】
請求項３に記載の身体冷却用の循環液体路部材において、前記立体構造物(１６)の少なくとも片方側のシート面への前記固定を、前記液体路(３)の形状パターンを形成するための前記複数の接合シート(２)に係る接合方法と同一の方法によって行う身体冷却用の循環液体路部材。
【国際調査報告】
2017069004.tif 000012
2017069004.tif 000013
2017069004.tif 000014
2017069004.tif 000015